(57)【要約】      （修正有）【課題】紙出口付近で単票が溜まることを防止しつつ、制御装置により媒体処理装置の状態を管理できるようにする。【解決手段】プリンター１の媒体処理装置制御部１００は、ホストコンピューター９２から受信した制御データに基づいて、処理部により媒体を処理させ、媒体の搬送を停止させた後、処理部による媒体の処理を禁止し、媒体姿勢検知手段６５により媒体の変位が検出されるまで待機すると共に、待機を開始したことをホストコンピューター９２に通知し、待機中に媒体姿勢検知手段６５によって媒体の変位が検出された場合、オートカッター６０により媒体を切断させ、処理部による媒体の処理の禁止を解除する。【選択図】図７
2015030099.tif 000002
【特許請求の範囲】
【請求項１】
媒体を処理する処理部と、
前記媒体を搬送する搬送部と、
前記搬送部で搬送された前記媒体を排出する排出口と、
前記排出口から排出された前記媒体の前記搬送部での搬送方向とは異なる方向の変位を検出する検出部と、
前記検出部での前記変位の検出に基づいて前記媒体を切断する切断部と、
前記処理部により前記媒体を処理させ、前記搬送部による前記媒体の搬送を停止させた後、前記検出部での前記変位の検出を待機することを示す情報を生成する制御部と、
前記情報を送信する通信部と、
を備えることを特徴とする媒体処理装置。
【請求項２】
前記制御部は、前記情報を生成するときに、前記処理部での前記媒体の処理を停止させる請求項１に記載の媒体処理装置。
【請求項３】
前記制御部は、前記切断部で前記検出部の前記媒体の変位の検出に基づいて前記媒体を切断した後、前記媒体の変位の検出の待機が終了したことを示す第２の情報を生成し、
前記通信部は、前記第２の情報を送信する請求項１または２に記載の媒体処理装置。
【請求項４】
媒体の処理を指示する制御データを送信する制御装置と、
前記媒体を処理する処理部、前記媒体を搬送する搬送部、前記搬送部で搬送された前記媒体を排出する排出口、前記排出口から排出された前記媒体の前記搬送部での搬送方向とは異なる方向の変位を検出する検出部、前記検出部での前記変位の検出に基づいて前記媒体を切断する切断部、前記処理部により前記媒体を処理させて前記搬送部での前記媒体の搬送を停止させた後前記検出部での前記変位の検出を待機することを示す情報を生成する制御部、及び前記情報を前記制御装置に送信する通信部を有する媒体処理装置と、
を備えることを特徴とする媒体処理システム。
【請求項５】
前記媒体処理装置の前記制御部は、前記切断部で前記検出部の前記媒体の変位の検出に基づいて前記媒体を切断した後、前記媒体の変位の検出の待機が終了したことを示す第２の情報を生成し、
前記媒体処理装置の前記通信部は、前記第２の情報を前記制御装置へ送信する請求項４に記載の媒体処理システム。
【請求項６】
前記制御装置は、前記情報を受信した後、前記制御データの送信を停止する請求項４または５に記載の媒体処理システム。
【請求項７】
前記制御装置は、前記情報を受信した後、前記変位の検出の待機の解除を指示する解除データを送信し、
前記媒体処理装置の前記制御部は、前記解除データに基づいて、前記変位の検出の待機を解除する請求項４ないし６のいずれか１項に記載の媒体処理システム。
【請求項８】
媒体の処理を指示する制御データを受信し、
受信した前記制御データに基づいて、前記媒体を処理し、
前記媒体を処理した後、前記媒体の搬送を停止し、
前記媒体の搬送を停止したときに、前記媒体の前記媒体の搬送方向と異なる方向の変位の検出の待機を示す情報を生成して送信し、
前記媒体の変位を検出したときに、前記媒体を切断することを特徴とする媒体処理装置の制御方法。
【発明の詳細な説明】
【技術分野】
【０００１】
本発明は、媒体を処理する媒体処理装置、媒体処理システム、及び媒体処理装置の制御方法に関する。
【背景技術】
【０００２】
従来、媒体に画像を印刷した後、媒体を切断することにより、タグラベル等の単票を発行する媒体処理装置（タグラベル作成装置）が知られている（例えば、特許文献１参照）。
一般に、媒体処理装置は、制御装置に接続され、制御装置の制御の下、単票の発行に係る各種処理を実行する。
【先行技術文献】
【特許文献】
【０００３】
【特許文献１】特開２０１１−５１２５２号公報
【発明の概要】
【発明が解決しようとする課題】
【０００４】
しかしながら、上述した媒体処理装置のように、媒体を切断して単票を発行するものでは、媒体を排出する紙出口付近に、切断により発行した単票が溜まり、紙出口からの媒体の排出に影響を与える可能性がある、という問題がある。また、制御装置の制御の下、媒体処理装置が処理を実行するシステムでは、制御装置によって、媒体処理装置の状態を認識できるようにしたいとするニーズがある。
本発明は、上述した事情に鑑みてなされたものであり、紙出口付近で単票が溜まることを防止しつつ、制御装置により媒体処理装置の状態を認識できるようにすることを目的とする。
【課題を解決するための手段】
【０００５】
上記目的を達成するために、本発明は、媒体処理装置であって、媒体を処理する処理部と、前記媒体を搬送する搬送部と、前記搬送部で搬送された前記媒体を排出する排出口と、前記排出口から排出された前記媒体の前記搬送部での搬送方向とは異なる方向の変位を検出する検出部と、前記検出部での前記変位の検出に基づいて前記媒体を切断する切断部と、前記処理部により前記媒体を処理させ、前記搬送部による前記媒体の搬送を停止させた後、前記検出部での前記変位の検出を待機することを示す情報を生成する制御部と、前記情報を送信する通信部と、を備えることを特徴とする。
本発明の構成によれば、媒体が所定方向に変位するように動かされた場合に、媒体の切断が実行され、単票が発行される。このため、単票が自動で連続して発行され、そのことに起因して紙出口付近で単票が溜まることを防止できる。
また、上記構成によれば、媒体処理装置は、処理部により媒体を処理させ、搬送部による媒体の搬送を停止させた後、検出部での変位の検出を待機することを示す情報を生成し、当該情報を制御装置に送信する。このため、制御装置は、媒体処理装置が待機を開始したことを認識でき、当該認識に基づいて、対応する処理を実行可能である。
【０００６】
また、本発明は、前記制御部は、前記情報を生成するときに、前記処理部での前記媒体の処理を停止させる。
本発明の構成によれば、検出部での変位の検出の待機時に、処理部により媒体が処理されることが停止される。
【０００７】
また、本発明は、前記制御部は、前記切断部で前記検出部の前記媒体の変位の検出に基づいて前記媒体を切断した後、前記媒体の変位の検出の待機が終了したことを示す第２の情報を生成し、前記通信部は、前記第２の情報を送信する。
本発明の構成によれば、制御装置は、媒体処理装置において、媒体の変位の検出の待機が終了したことを認識でき、当該認識に基づいて、対応する処理を実行可能である。
【０００８】
また、上記目的を達成するために、本発明は、媒体処理システムであって、媒体の処理を指示する制御データを送信する制御装置と、前記媒体を処理する処理部、前記媒体を搬送する搬送部、前記搬送部で搬送された前記媒体を排出する排出口、前記排出口から排出された前記媒体の前記搬送部での搬送方向とは異なる方向の変位を検出する検出部、前記検出部での前記変位の検出に基づいて前記媒体を切断する切断部、前記処理部により前記媒体を処理させて前記搬送部での前記媒体の搬送を停止させた後前記検出部での前記変位の検出を待機することを示す情報を生成する制御部、及び前記情報を前記制御装置に送信する通信部を有する媒体処理装置と、を備えることを特徴とする。
本発明の構成によれば、媒体処理装置は、処理部により媒体を処理させ、搬送部による媒体の搬送を停止させた後、検出部での変位の検出を待機することを示す情報を生成し、当該情報を制御装置に送信する。このため、制御装置は、媒体処理装置が待機を開始したことを認識でき、当該認識に基づいて、対応する処理を実行可能である。
【０００９】
また、本発明は、前記媒体処理装置の前記制御部は、前記切断部で前記検出部の前記媒体の変位の検出に基づいて前記媒体を切断した後、前記媒体の変位の検出の待機が終了したことを示す第２の情報を生成し、前記媒体処理装置の前記通信部は、前記第２の情報を前記制御装置へ送信する。
本発明の構成によれば、制御装置は、媒体処理装置において、媒体の変位の検出の待機が終了したことを認識でき、当該認識に基づいて、対応する処理を実行可能である。
【００１０】
また、本発明は、前記制御装置は、前記情報を受信した後、前記制御データの送信を停止する。
この構成によれば、媒体処理装置が媒体の変位の検出を待機している状態のときに、制御装置が制御データを送信し、これに起因して、例えば、未処理の制御データが、媒体処理装置に蓄積することを防止できる。
【００１１】
また、本発明は、前記制御装置は、前記情報を受信した後、前記変位の検出の待機の解除を指示する解除データを送信し、前記媒体処理装置の前記制御部は、前記解除データに基づいて、前記変位の検出の待機を解除する。
本発明の構成によれば、媒体処理装置が、検出部による媒体の変位の検出を待機している場合に、制御装置によって、媒体処理装置が媒体の変位の検出を待機している状態を解除できる。
【００１２】
また、上記目的を達成するために、本発明は、媒体の処理を指示する制御データを受信し、受信した前記制御データに基づいて、前記媒体を処理し、前記媒体を処理した後、前記媒体の搬送を停止し、前記媒体の搬送を停止したときに、前記媒体の前記媒体の搬送方向と異なる方向の変位の検出の待機を示す情報を生成して送信し、前記媒体の変位を検出したときに、前記媒体を切断することを特徴とする。
この制御方法によれば、媒体処理装置は、処理部により媒体を処理させ、搬送部による媒体の搬送を停止させた後、検出部での変位の検出を待機することを示す情報を生成し、当該情報を制御装置に送信する。このため、制御装置は、媒体処理装置が待機を開始したことを認識でき、当該認識に基づいて、対応する処理を実行可能である。
【図面の簡単な説明】
【００１３】
【図１】本実施形態に係る単票発行装置を示す概略構成図。
【図２】カバーを開けた状態のプリンター本体を示す斜視図。
【図３】プリンター本体の内部機構を示す図。
【図４】プリンター１の主要構成を示す断面図。
【図５】オートカッター周辺を説明する図。
【図６】媒体姿勢検知手段を説明する図。
【図７】ホストコンピューターおよびプリンターの機能的構成を示すブロック図。
【図８】ホストコンピューターおよびプリンターの動作を示すフローチャート。
【発明を実施するための形態】
【００１４】
以下、図面を参照して本発明の実施形態について説明する。
図１は、本実施形態に係る単票発行装置１０を示す概略構成図である。
図１において、Ｘ方向は単票発行装置１０で使用される媒体の搬送方向を示し、Ｙ方向は媒体の紙幅方向を示し、Ｚ方向は、Ｘ方向およびＹ方向の双方が直交する方向を示している。
本実施形態に係る単票発行装置１０は、空港における航空会社のサービスカウンター等に設けられ、バゲッジタグや、ボーディングパス等の単票を発行する機能を有している。
単票発行装置１０によって発行されるバゲッジタグや、ボーディングパスには、ＩＣ（Integrated Circuits）タグが搭載されている場合があり、このＩＣタグに、必要な情報が記録される。例えば、バゲッジタグのＩＣタグには、荷物（バゲッジ）を搭乗すべき飛行機の便の番号や、バゲッジタグを発行した日時等が記録される。また、バゲッジタグや、ボーディングパスの表面には、必要な情報が印刷される。例えば、バゲッジタグの表面には、飛行機の便番号や、荷物の所有者の氏名等、予め定められた必要な情報が印刷される。
【００１５】
図１に示すように、単票発行装置１０は、プリンター１（媒体処理装置）と、このプリンター１に媒体を供給する給紙装置２と、を備えている。
給紙装置２は、プリンター１のプリンター本体３に着脱可能に接続されるベース板４と、このベース板４に取り付けられている用紙保持部５と、用紙保持部５に取り付けられているロール紙支軸６とを備えている。ロール紙支軸６には、その先端側からロール紙Ｒが装着される。ロール紙支軸６の先端部には、ロール紙支軸６に直交する方向にロール紙抜け止め用の抜け防止軸８が取り付けられている。また、ロール紙支軸６にはロール紙幅調整用の円盤状のスペーサー９が着脱可能に取り付けられており、幅の異なるロール紙が、装着可能となっている。
【００１６】
給紙装置２は、ロール紙Ｒ、および、ファンフォールド紙のいずれかが選択的に収容され、プリンター１に給紙可能となっている。以下、単票発行装置１０にセットされた媒体を、総称して、媒体Ｂという。
本実施形態において、ロール紙Ｒは、ラベル用紙７が接続された構成の媒体である。各ラベル用紙７は、プリンター１により後述する所定の処理が施された後、切り離されて、単票（例えば、バゲッジタグ）として利用される。各ラベル用紙７の所定の部位にはＲＦＩＤ（Radio frequency identification）タグ７Ａ（ＩＣタグ）が貼付または埋設によって搭載されている。
図１では、給紙装置２にロール紙Ｒがセットされている。
一方、上述したように、ベース板４は、連続用紙の一つであるファンフォールド紙のトレイとして利用することも可能である。ファンフォールド紙は、単票部が、所定の長さに折り畳んで構成された媒体である。各単票部は、プリンター１により後述する所定の処理が施された後、切り離されて、単票（例えば、ボーディングパス）として利用される。ファンフォールド紙を使用する場合は、ベース板４と用紙保持部５とによって形成されたスペースＳＰにファンフォールド紙が収容される。
【００１７】
プリンター１のプリンター本体３は、外装ケース１１を備えている。この外装ケース１１は、本体ケース１１Ａと、前部ケース１２と、カバー１６と、を備えている。
本体ケース１１Ａは、外装ケース１１のベースとなる部品であって、外装ケース１１の他のケース部品および前述の給紙装置２が取り付けられる。本体ケース１１Ａには、電源のオン／オフを指示する電源スイッチＤＳと、媒体Ｂの搬送を指示するフィードボタンＦＢとが設けられている。
前部ケース１２は、プリンター１において給紙装置２と対向する方向で本体ケース１１Ａに取り付けられる。前部ケース１２の前面１１ｂには、その上下方向の中程の位置に、Ｙ方向を長手方向とする矩形形状の排出口２８（紙出口）が形成されている。この前部ケース１２には後述するプリンター機構部６１が収容されている。
カバー１６は、外装ケース１１に、開閉自在に設けられる。外装ケース１１の後端面１１ａと、カバー１６の先端部との間には、用紙挿入口２６が形成されている。
【００１８】
図２はカバー１６を開けた状態のプリンター本体３を示す斜視図である。
カバー１６は、媒体Ｂの紙搬送経路１９を覆う形態であり、プリンター１の前側の端部を中心として矢印Ａ（図１）方向に開閉可能となっている。
図２に示すように、カバー１６を回動させて開くと上面開口部１３が露出する。また、外装ケース１１の一方の側面１４には、上面開口部１３から連続する側面開口部１５が形成される。
カバー１６は、図１に示す閉じ位置において上面開口部１３および側面開口部１５を覆う。カバー１６は、上面開口部１３を覆うカバー天板部分１７（図１）と、側面開口部１５を覆うカバー側板部分１８とを備えており、カバー天板部分１７におけるプリンター本体３の前側の端部を中心として矢印Ａ方向（図１）に回動し、図１に示す閉じ位置から図２に示す開位置まで開くことができる。カバー１６を開くと、外装ケース１１の内部に形成されている媒体Ｂ（図１では、ラベル用紙７）の紙搬送経路１９、および、紙搬送経路１９に形成されている用紙溜まり部２０が開放状態となり、これらに対して、上面開口部１３、および、側面開口部１５を介してアクセス可能となる。
【００１９】
紙搬送経路１９の幅方向の一方の側端、すなわちプリンター本体３の一方の側端は、図２に示すように、カバー側板部分１８の内側に形成されている第１用紙ガイド２１である。また、幅方向の他方の側端は、紙搬送経路１９の底面の底板２４に着脱可能に取り付けた第２用紙ガイド２２および第３用紙ガイド２３のいずれかである。第２用紙ガイド２２が取り付けられている場合には、第１用紙ガイド２１および第２用紙ガイド２２によってラベル用紙７をガイド可能であり、第２用紙ガイド２２を外すと、第１用紙ガイド２１および第３用紙ガイド２３によってラベル用紙７をガイド可能になる。
用紙挿入口２６の内側には、外装ケース１１の側に下側ガイドローラー２７ａが取り付けられており、カバー１６側には、カバー１６が図１の閉じ位置にある場合に、下側ガイドローラー２７ａに対向する上側ガイドローラー２７ｂが取り付けられている。
【００２０】
図３（Ａ）は、プリンター本体３の内部機構を示す説明図であり、プリンター１を横方向から見た図である。また、図３（Ｂ）は、図３（Ａ）の紙搬送経路１９を模式的に切り出した図である。
図３（Ａ）、（Ｂ）では、紙搬送経路１９に、ロール紙Ｒが延在した状態を示している。
プリンター本体３の内部機構は、外装ケース１１によって覆われている板金製の本体フレーム３０にプリンター本体３の構成部品が搭載された構成となっている。本体フレーム３０には上方に突出した左右の支持腕３１が形成されており、これらの支持腕３１の間にヒンジ軸３２が、外装ケース１１の幅方向に架け渡されて、カバー１６がヒンジ軸３２の軸まわりに回動自在となっている。
【００２１】
プリンター本体３の内部においては、用紙溜まり部２０の前側の部位において、用紙挿入口２６よりも下方の位置にテンションローラー３６が幅方向に架け渡されている。また、用紙挿入口２６と排出口２８との間には、テンションローラー３６、及びテンションローラー３６の前方に位置するプラテンローラー６６（搬送ローラー）を経由する媒体（図３（Ａ）の例ではラベル用紙７）の紙搬送経路１９が形成されている。
【００２２】
紙搬送経路１９は、用紙挿入口２６側の傾斜紙搬送経路３９Ａと、傾斜紙搬送経路３９Ａの下流側の傾斜紙搬送経路３９Ｂと、さらに下流側において排出口２８側の水平紙搬送経路３９Ｃとを含んで構成される。傾斜紙搬送経路３９Ａは、用紙挿入口２６から下向きに傾斜して延び、テンションローラー３６に至る経路である。また、傾斜紙搬送経路３９Ｂは、テンションローラー３６から下流側において上方に向けて傾斜して延び、プラテンローラー６６に達する経路である。傾斜紙搬送経路３９Ｂは、上下に対向して配置された用紙ガイド３７、３８によって形成される。また、水平紙搬送経路３９Ｃは、プラテンローラー６６から下流側すなわち前側に延びて排出口２８に繋がる経路である。
【００２３】
紙搬送経路１９において、プラテンローラー６６に対向する位置には、媒体Ｂ（図３の例ではラベル用紙７）に印刷を行うサーマルヘッド６７が配置されている。プラテンローラー６６は、サーマルヘッド６７の発熱面に押し付けて配置され、プラテンローラー６６の回転によってラベル用紙７が搬送される。また、水平紙搬送経路３９Ｃには、プラテンローラー６６の下流側にオートカッター６０が配置されており、サーマルヘッド６７により印刷された媒体Ｂ（例えば、ラベル用紙７）はオートカッター６０により切断される。
【００２４】
ラベル用紙７に印刷する場合、まず、カバー１６が開かれて、ユーザーの作業によって給紙装置２にセットされたラベル用紙７が引き出されて、用紙挿入口２６から挿入される。このラベル用紙７は、第１用紙ガイド２１と第２用紙ガイド２２あるいは第３用紙ガイド２３にガイドされながら、傾斜紙搬送経路３９Ａを通って、テンションローラー３６に導かれる。さらに、ラベル用紙７は、テンションローラー３６から傾斜紙搬送経路３９Ｂに沿ってサーマルヘッド６７とプラテンローラー６６の間に搬送され、水平紙搬送経路３９Ｃを通って排出口２８から引き出された状態にセットされる。ここで、カバー１６が閉じられると、ラベル用紙７の先端がプラテンローラー６６とサーマルヘッド６７とに挟まれて搬送可能となる。
【００２５】
外装ケース１１内には、ＲＦＩＤタグ７Ａに対してデータの書き込み及びデータの読み出しを行うタグ読書装置４６が配置されている。タグ読書装置４６は、ＲＦＩＤタグ７Ａに対して無線信号を送受信するアンテナ４４と、ＲＦ送受信回路４５とを備えている。アンテナ４４は、図３（Ａ）に示すように、傾斜紙搬送経路３９Ａ（搬送経路）に向けて設けられ、傾斜紙搬送経路３９Ａが、タグ読書装置４６によるデータの書き込み及びデータの読み出しが行われる情報読書位置となっている。すなわち、図３（Ａ）、（Ｂ）に示すように、ラベル用紙７に付されたＲＦＩＤタグ７Ａが傾斜紙搬送経路３９Ａの範囲に位置している間に、タグ読書装置４６により、データの書込及びデータの読み取りが行われる。
【００２６】
ＲＦＩＤタグ７Ａは、タグ読書装置４６等の外部の装置から送信される無線信号を受信するアンテナを備え、このアンテナに誘起される電力によりＩＣを駆動する受動型のＩＣタグである。本実施形態のタグ読書装置４６及びＲＦＩＤタグ７Ａは、無線タグとして一般的なプロトコルに従って無線信号を送受信する。
すなわち、タグ読書装置４６は、ＲＦＩＤタグ７Ａに対するデータの書き込み又はデータの読み出しを行う場合に、まず、所定周波数の搬送波を送信し、この搬送波に重畳して検出用信号を送信する。タグ読書装置４６が送信した搬送波によってＲＦＩＤタグ７Ａのアンテナに起電力が誘起されると、この電力によりＲＦＩＤタグ７ＡのＩＣがオンに切り替わり、検出用信号を受信して、この検出用信号に対して応答する信号を送信する。タグ読書装置４６は、ＲＦＩＤタグ７Ａが送信した応答信号を受信すると、搬送波の出力を継続しながら、このＲＦＩＤタグ７Ａをデータの書き込み及びデータの読み出しの対象として設定するとともに、データの書き込み及びデータの読み出しを開始する旨を通知する信号を送信する。その後は、タグ読書装置４６が搬送波の出力を継続しながら、タグ読書装置４６とＲＦＩＤタグ７Ａとの間で無線信号が送受信され、ＲＦＩＤタグ７Ａに記録されているデータの読み出し、及び、ＲＦＩＤタグ７Ａが有するＩＣの書き換え可能な記憶領域に対し、データの書込が行われる。
【００２７】
図４は、プリンター１の主要構成を示す断面図である。また、図５は、切断機構としてのオートカッター６０（後述）周辺を説明する図である。図４、および、図５に示すＸ、Ｙ、および、Ｚ方向は、図１に示すＸ、Ｙ、および、Ｚ方向と同一である。
図４に示すように、プリンター機構部６１は、外装ケース１１の前部ケース１２に収容され、搬送機構６３（搬送部）と、印刷機構６４と、オートカッター６０（切断部）と、媒体姿勢検知手段６５（検出部）と、を備えている。
【００２８】
搬送機構６３は、媒体Ｂを、プリンター１の紙搬送経路１９に沿って搬送するものである。
搬送機構６３は、紙搬送経路１９の所定位置に配置されたプラテンローラー６６（搬送ローラー）と、このプラテンローラー６６に対向配置されたサーマルヘッド６７とを備えている。搬送機構６３のＸ（−）方向にプリンター機構部６１としての用紙挿入口２６が設けられる。媒体Ｂは、この用紙挿入口２６を通って装置内部に供給され、サーマルヘッド６７とプラテンローラー６６との間で押圧状態に装填される。用紙挿入口２６と、サーマルヘッド６７およびプラテンローラー６６との間の紙搬送経路１９上には、媒体Ｂを案内する紙案内部材６９が設けられている。
プラテンローラー６６には、搬送モーター７０の回転駆動力が図示しない歯車等の伝達機構を介して伝達される。プラテンローラー６６が正方向（図４の矢印Ｂ方向）に回転すると、この回転に伴って媒体Ｂが紙搬送経路１９に沿って正方向（Ｘ（−）方向からＸ（＋）方向）に搬送される。また、逆方向（矢印Ｂの反対方向）にプラテンローラー６６が回転すると、媒体Ｂは逆送する。
搬送モーター７０は、ステッピングモーターである。
【００２９】
印刷機構６４は、サーマルヘッド６７を備えている。
サーマルヘッド６７は、プラテンローラー６６と対向するヘッド面に、媒体Ｂを加熱して印刷を行う発熱部７１を備えている。この発熱部７１は、Ｙ方向に沿って列状に並んで形成された発熱素子を有している。サーマルヘッド６７は、印刷を行うときには、発熱部７１の部分をプラテンローラー６６に正対させ、発熱部７１とプラテンローラー６６とで媒体Ｂを搬送させながら、発熱部７１を構成する複数の発熱素子の内の任意の発熱体を選択的に発熱させる。媒体Ｂは、表面に感熱発色層が塗布されているため、発熱した発熱素子に対応する部位が発色しドットを形成する。
【００３０】
画像が印刷された媒体Ｂは、後述するオートカッター６０および媒体姿勢検知手段６５を経由して、プリンター機構部６１のＸ（＋）方向に設けられた排出口２８から装置外部に排出される。このとき、媒体Ｂは、排出口２８のＺ方向下部に設けられた紙ステージ７２に一時滞留する。
切断機構としてのオートカッター６０は、サーマルヘッド６７によって画像が印刷された媒体Ｂを、任意の長さに切断して単票とする機能を有する。本実施形態に係るオートカッター６０は、一方の刃に対して他方の刃が接近および離反する方向に旋回する鋏式オートカッターである。なお、オートカッター６０には、一方の刃に対して他方の刃が接近および離反する方向に直線往復移動するギロチン形式のものなど複数種あり、いずれでも対応可能である。
【００３１】
図４および図５に示すように、オートカッター６０は、固定刃７４と、可動刃７５と、カッター駆動モーター７６と、図示しない可動刃駆動伝達機構と、を備えている。固定刃７４は、略長方形の板状を呈しており、１つの長辺部分に直線状の刃部７４ａが形成されている。固定刃７４は、上述の紙搬送経路１９のＺ方向下部で刃部７４ａをＹ方向に延在するように固定される。可動刃７５は、１辺に略直線状の刃部７５ａが形成された板状に形成され、一方の端部近くに旋回中心７５ｂを有している。旋回中心７５ｂは、Ｙ方向において媒体Ｂの走行範囲外に設けられている。
オートカッター６０はカッター駆動モーター７６を備え、カッター駆動モーター７６の駆動力は図示しない可動刃駆動伝達機構を介して可動刃７５に伝達される。そのため、可動刃７５は、旋回中心７５ｂを中心に旋回可能となり、カッター駆動モーター７６の動作により、固定刃７４に対して接近および離反する方向に旋回することができる。その結果、固定刃７４と可動刃７５との間に配置される媒体Ｂは切断される。
【００３２】
図４および図５に示すように、紙ステージ７２は、プラスチック等の材料が用いられ、紙搬送経路１９の媒体Ｂが摺動する面の一部を構成すべく、搬送機構６３と外装ケース１１の前部ケース１２との間を架け渡すように配置される。紙ステージ７２は、紙搬送経路１９に沿って紙幅方向（Ｙ方向）を長辺とし紙搬送方向（Ｘ方向）を短辺とする長方形状の紙ガイド面７８を有している。紙ガイド面７８の面は、固定刃７４の刃部７４ａの位置より、Ｚ方向にわずかに低くなるように配設されている。紙ガイド面７８は、紙搬送経路１９を搬送される媒体Ｂの下面をガイドする機能を有する。
【００３３】
次いで、媒体姿勢検知手段６５について、図４、および、図６を参照して説明する。
媒体姿勢検知手段６５（検出部）は、排出口２８から媒体Ｂが排出された状態で、媒体Ｂが媒体の搬送方向と異なる方向（本例では、上方）に変位した場合、変位を検出する手段である。
図６は、媒体姿勢検知手段６５を説明する図であり、（Ａ）は、媒体姿勢検知手段６５を媒体Ｂの排出方向から見た斜視図、（Ｂ）は図（Ａ）中のＳ方向から見た概略図、（Ｃ）は図（Ａ）中Ｔ方向から見た概略図である。図６に示すＸ、Ｙ、および、Ｚ方向は、図１に示すＸ、Ｙ、および、Ｚ方向と同一な方向を示す。
【００３４】
図４に示すように、媒体姿勢検知手段６５は、外装ケース１１の排出口２８部分に上述の紙ステージ７２の紙ガイド面７８と対向する位置、すなわち紙ガイド面７８に滞留する印刷済の媒体Ｂの印刷面と向き合う位置に配置される。
図６に示すように、媒体姿勢検知手段６５は、検知レバー８０と、検知レバー支持部材８１と、検出器８２と、を備える。
【００３５】
検知レバー８０は、プラスチック等の材料が用いられ、検知部８３と、遮蔽部８４と、支持軸８５とを有する。検知部８３は、検知レバー８０の本体部分を構成し、媒体Ｂの最大の幅以上の幅を有する図４中Ｙ方向の辺を長辺とする２つの長方形状の面８３ａ、８３ｂが１つの稜線８３ｃで結合した、断面三角形状を呈している。そして、一方の面８３ａにおいては、稜線８３ｃと対向する長辺の延長には２つの支持軸８５が延出するように形成されている。Ｙ方向の１つの端部から略四角形状の遮蔽部８４が突出するように形成されている。
【００３６】
図４に示すように、検知レバー支持部材８１は、前部ケース１２に取り付けられ排出口２８の図１中Ｚ方向上部を構成する。検知レバー支持部材８１には、検知レバー８０の検知部８３の断面三角形形状の部分が稜線８３ｃを頂点として嵌入可能なＹ方向を長辺とする四角形形状の開口部８６が設けられている。検知部８３が開口部８６に嵌入されたとき、検知レバー８０の２つ支持軸８５に相当する位置には、それぞれ支持軸受け９０が設けられている。そのため、検知レバー８０は、２つの支持軸８５を支点として、検知レバー支持部材８１の開口部８６から、検知部８３の稜線８３ｃを頂点として出入りする方向（図６中Ｍ方向）に回動することができる。
【００３７】
また、検知レバー支持部材８１には、検知レバー８０が支持軸８５を中心に回動したときに、一方の端部に設けられた遮蔽部８４の動線範囲に検出部を有する検出器８２が取り付けられている。検出器８２は、例えば透過型の光センサーが好適に適用される。検出器８２は、発光部と受光部とを備え発光部から射光される光を受光部で受光する。検出器８２は、受光部で受光するか否か、もしくは受光部で受光する光量に従って信号を出力する。そのため、検出器８２の光軸を遮蔽部８４が横切るか否かによって、センサー出力が変化して検知レバー８０の動作を検出する。
【００３８】
次いで、媒体Ｂの姿勢検知方法について同じく図４、および、図６を参照して説明する。前述のプリンター機構部６１で画像が印刷された媒体Ｂは、単票として発行されるときの単票終端位置がオートカッター６０のカット位置に到達するまで搬送機構６３によって搬送され紙ステージ７２に滞留する。
【００３９】
その後、例えばオペレーターが単票を発行したいタイミングで、印刷済の媒体Ｂを持ち上げる。滞留位置から持ち上げられた媒体Ｂは、媒体姿勢検知手段６５の検知レバー８０の検知部８３（稜線８３ｃ部分）と接触する。さらに持ち上げられると、媒体Ｂと接触する検知レバー８０の検知部８３は、２つの支持軸８５を支点として図中Ｍ方向に回動する。そのため、検知レバー８０と一体に形成された遮蔽部８４も回動する。その結果、媒体姿勢検知手段６５の検出器８２の光軸から遮蔽部８４が外れ検出器８２の出力が変化する。
【００４０】
この出力変化を検出することによって、紙ステージ７２に滞留した媒体Ｂの姿勢変化（所定方向への変位）を検知することができる。なお、このとき検知部８３のＹ方向の長さは媒体Ｂの紙幅よりも長い。そのため、オペレーターが媒体Ｂを紙幅方向に対して斜めもしく変形させて持ち上げたとしても、検知レバー８０は回動することができ、媒体Ｂの姿勢変化を検知することができる。
【００４１】
図７は、本実施形態に係る媒体処理システム９１の機能的構成を示すブロック図である。
媒体処理システム９１は、プリンター１（媒体処理装置）と、ホストコンピューター９２（制御装置）と、を備えている。プリンター１は、上述した構成の下、長尺の媒体Ｂを排出口２８から所定量排出した後、切断して単票を発行可能な装置である。また、ホストコンピューター９２は、プリンター１を制御するコンピューターであり、プリンター１に対して、媒体の処理を指示する制御データ（後述）を送信する機能を有している。
図７に示すように、プリンター１は、媒体処理装置制御部１００（制御部）を備えている。
媒体処理装置制御部１００は、ＣＰＵや、ＲＯＭ、ＲＡＭ、その他の周辺回路等を備え、プリンター１の各部を制御する。
また、媒体処理装置制御部１００は、タグ読書装置４６を制御して、ＲＦＩＤタグ７Ａに対するデータ読み出し及びデータの書き込みを実行する。例えば、ラベル用紙７がバゲッジタグとして使用される場合、媒体処理装置制御部１００は、取扱航空会社、出発空港、行き先の空港、トランジットする空港、このバゲッジタグを発行したカウンター、対応する搭乗券の番号、搭乗便等を示すデータ等をＲＦＩＤタグ７Ａに書き込む。
本実施形態では、タグ読書装置４６は、媒体処理装置制御部１００の制御の下、ホストコンピューター９２から受信した制御データに基づいて媒体Ｂに処理を行う「処理部」として機能する。
また、媒体処理装置制御部１００は、ヘッド駆動回路１０１を制御して、サーマルヘッド６７を駆動し、媒体Ｂに画像を印刷する。
本実施形態では、印刷機構６４は、媒体処理装置制御部１００の制御の下、ホストコンピューター９２から受信した制御データに基づいて媒体Ｂに処理を行う「処理部」として機能する。
また、媒体処理装置制御部１００は、モーター駆動回路１０２を制御して、搬送モーター７０を駆動する。搬送モーター７０の駆動に応じて、プラテンローラー６６が回転し、プラテンローラー６６の回転に応じて、媒体Ｂを搬送する。
本実施形態では、搬送機構６３は、媒体処理装置制御部１００の制御の下、「搬送部」として機能する。
また、媒体処理装置制御部１００は、モーター駆動回路１０２を制御して、カッター駆動モーター７６を駆動する。カッター駆動モーター７６の駆動に応じて、可動刃７５が移動し、媒体Ｂを切断する。
本実施形態では、オートカッター６０は、媒体処理装置制御部１００の制御の下、「切断部」として機能する。
【００４２】
検出器８２は、上述したように、センサーの検出値を媒体処理装置制御部１００に出力する。媒体処理装置制御部１００は、検出器８２の出力変化によって、媒体Ｂが上方向に変位したことを検出する。
報知部１０３は、ブザーを備え、媒体処理装置制御部１００の制御の下、所定の態様で電子音を発生する。
入力部１０４は、電源スイッチＤＳと、フィードボタンＦＢとを備え、これらに対する操作を検出し、媒体処理装置制御部１００に出力する。
記憶部１０５は、ＥＥＰＲＯＭ等の不揮発性メモリーを備え、各種データを書き換え可能に、不揮発的に記憶する。
通信Ｉ／Ｆ１０６は、媒体処理装置制御部１００の制御の下、所定の通信規格に準拠して、ホストコンピューター９２と通信する。通信Ｉ／Ｆ１０６と、媒体処理装置制御部１００とが協働して「通信部」として機能する。
【００４３】
一方、図７に示すように、ホストコンピューター９２は、制御装置制御部１０８を備えている。
制御装置制御部１０８は、ＣＰＵや、ＲＯＭ、ＲＡＭ、その他の周辺回路等を備え、ホストコンピューター９２の各部を制御する。
ホスト表示部１０９は、液晶パネル等の表示パネル１１０を備え、制御装置制御部１０８の制御の下、表示パネル１１０に各種画像を表示する。
ホスト入力部１１１は、操作スイッチや、各種入力デバイスに接続され、操作スイッチや、入力デバイスに対する操作を検出して、制御装置制御部１０８に出力する。
ホスト記憶部１１２は、ＥＥＰＲＯＭや、ハードディスク等の不揮発性メモリーを備え、各種データを書き換え可能に記憶する。
ホスト通信Ｉ／Ｆ１１３は、制御装置制御部１０８の制御の下、所定の通信規格に準拠して、プリンター１と通信する。
【００４４】
次に、ホストコンピューター９２、及び、プリンター１の動作について説明する。
図８は、媒体Ｂを処理する際のホストコンピューター９２、及び、プリンター１の動作を示すフローチャートである。（Ａ）はホストコンピューター９２の動作を、（Ｂ）はプリンター１の動作を示している。
ここで、ホストコンピューター９２には、アプリケーションＡＰがインストールされている。アプリケーションＡＰは、少なくとも、単票の発行にあたり、発行する単票のＲＦＩＤタグ７Ａに書き込む情報を含むデータ（以下、「書込データ」という。）、単票に印刷すべき画像に関する情報を含むデータ（以下、「印刷データ」）という。）を生成する機能を有している。
また、ホストコンピューター９２では、ミドルウェアＭＷが動作可能する。
ミドルウェアＭＷは、アプリケーションＡＰと、ホストコンピューター９２のＯＳとの間の、ソフトウェア的なインターフェースとしての機能を有する１または複数のソフトウェアである。特に、本実施形態では、ミドルウェアＭＷは、プリンター１を制御対象とするデバイスドライバーとしての機能が実装されている。すなわち、ミドルウェアＭＷは、アプリケーションＡＰから上述した書込データ、および、印刷データを含む処理データが入力された場合、入力された処理データに基づいて、制御データを生成し、プリンター１に送信する機能を有する。制御データとは、プリンター１のコマンド体系に準拠したデータである。制御データには、印刷制御データと、書込制御データとが含まれている。印刷制御データは、プリンター１のコマンド体系に準拠したデータであって、画像の印刷を指示するデータである。また、書込制御データは、プリンター１のコマンド体系に準拠したデータであって、ＲＦＩＤタグ７Ａへのデータの書き込みを指示するデータである。
従って、アプリケーションＡＰのそれぞれは、単票の発行にあたり、書込データ、および、印刷データを生成すると共に、これらデータを含む処理データを、プロトコルに従ってミドルウェアＭＷに出力すればよい。
【００４５】
図８（Ａ）に示すように、ホストコンピューター９２において、アプリケーションＡＰは、単票の発行を実行すべきか否かを判別する（ステップＳＡ１）。例えば、アプリケーションＡＰが提供する所定のユーザーインターフェースに対して、必要な情報の入力と共に、単票の発行の指示があった場合、アプリケーションＡＰは、単票の発行を実行すべきと判別する。また例えば、接続されたサーバー装置等の外部機器から、必要な情報の入力と共に、単票の発行の指示があった場合、アプリケーションＡＰは、単票の発行を実行すべきと判別する。
単票の発行を行う場合（ステップＳＡ１：ＹＥＳ）、アプリケーションＡＰは、発行する単票のＲＦＩＤタグ７Ａに書き込む情報を含む書込データ、および、単票に印刷する画像に関する情報を含む印刷データを少なくとも含む処理データを生成する。そして、アプリケーションＡＰは、生成した処理データをミドルウェアＭＷに出力する（ステップＳＡ２）。ミドルウェアＭＷは、処理データに基づいて、制御データを生成し、プリンター１に送信する（ステップＳＡ３）。
次いで、ミドルウェアＭＷは、制御データのプリンター１への送信を行わない送信停止状態へ移行する（ステップＳＡ４）。この送信停止状態へ移行している間は、ミドルウェアＭＷは、アプリケーションＡＰと協働して、制御データのプリンター１への送信を禁止する。送信停止状態のときには、ミドルウェアＭＷ、または、アプリケーションＡＰの機能により、その旨を表示パネル１１０に表示し、また、単票の発行の指示を受け付けない構成としてもよい。
送信停止状態へ移行後、制御装置制御部１０８は、待機通知データを受信したか否かを監視する（ステップＳＡ５）。待機通知データ、および、当該データの受信後のホストコンピューター９２の処理については後述する。
【００４６】
一方で、プリンター１の媒体処理装置制御部１００は、制御データを受信したか否かを監視する（ステップＳＢ１）。
制御データを受信した場合（ステップＳＢ１：ＹＥＳ）、媒体処理装置制御部１００は、制御データに基づいて、適宜、搬送機構６３（搬送モーター７０等）に媒体Ｂを搬送させる。また、所定のタイミングで、制御データに含まれる書込制御データに基づいてタグ読書装置４６によりＲＦＩＤタグ７Ａにデータを書き込み、制御データに含まれる印刷制御データに基づいて印刷機構６４（サーマルヘッド６７等）に画像を印刷させる（ステップＳＢ２）。このステップＳＢ２の処理は、媒体Ｂに対する処理部による処理に該当する。
ステップＳＢ２の処理の実行中、媒体処理装置制御部１００は、媒体Ｂに対する処理が完了したか否かを監視する（ステップＳＢ３）。より具体的には、媒体処理装置制御部１００は、書込制御データに基づくＲＦＩＤタグ７Ａへのデータの書き込み、および、印刷制御データに基づく画像の印刷が完了したか否かを監視する。ＲＦＩＤタグ７Ａのデータの書き込みの完了とは、制御データに含まれる書込制御データに基づいて、ＲＦＩＤタグ７Ａに書き込むべきデータの、ＲＦＩＤタグ７Ａへの書き込みが終了したことをいう。また、画像の印刷の完了とは、制御データに含まれる印刷制御データに基づいて、印刷すべき画像の印刷が終了したことをいう。ステップＳＢ３では、ＲＦＩＤタグ７Ａへのデータの書き込み、および、画像の印刷の双方が完了したか否かを監視している。
次いで、媒体処理装置制御部１００は、搬送機構６３を制御して、媒体Ｂが切断されるべき位置（以下、「被切断位置」という。）が、オートカッター６０の切断位置に位置するように、媒体Ｂを搬送し、搬送を停止する（ステップＳＢ４）。
媒体Ｂにおける被切断位置とは、制御データに基づく処理部による処理が行われた単票の末端に相当する位置である。この被切断位置にて媒体Ｂを切断することにより、媒体Ｂから１つの単票分の紙片が切り離されて、単票が発行される。
【００４７】
次いで、媒体処理装置制御部１００は、待機状態へ移行する（ステップＳＢ５）。
この待機状態では、媒体処理装置制御部１００は、媒体Ｂの搬送を停止した状態を維持する。詳述すると、待機状態では、媒体処理装置制御部１００は、ステッピングモーターである搬送モーター７０をホールド状態にし、これにより、搬送方向に沿った媒体Ｂの移動（排出口２８へ移動する方向への移動）を規制する。すなわち、媒体処理装置制御部１００は、搬送モーター７０をホールド状態にすることにより、プラテンローラー６６の媒体Ｂの搬送方向への回転を規制する。媒体Ｂは、サーマルヘッド６７と、プラテンローラー６６との間で、押圧状態で挟持されているため、プラテンローラー６６の回転が規制されることにより、媒体Ｂの搬送方向に沿った媒体Ｂの移動が規制される。
このように媒体Ｂの移動が規制されるため、ユーザーが媒体Ｂを切断するべく媒体Ｂを変位させた場合や、媒体Ｂが引っ張られる等されて媒体Ｂに何らかの力が加わった場合であっても、媒体Ｂの被切断位置と、オートカッター６０の切断位置との位置ずれが防止される。本実施形態では、プラテンローラー６６の回転を規制する規制部材としての搬送モーター７０、および、搬送モーター７０をホールドする媒体処理装置制御部１００（駆動制御部）が、「規制部」に該当する。
さらに、待機状態では、媒体処理装置制御部１００は、印刷機構６４による印刷、および、タグ読書装置４６によるＲＦＩＤタグ７Ａへのデータの読み書きを禁止する。つまり、待機状態では、媒体処理装置制御部１００は、媒体Ｂへの処理部での処理を禁止する。
さらに、待機状態では、媒体処理装置制御部１００は、上述した媒体姿勢検知手段６５が備える検出器８２のセンサーの出力の変化を監視し、紙ステージ７２に滞留する媒体Ｂの姿勢変化（所定方向への変位）があるか否かを監視する。換言すれば、待機状態でないときは、上記検出は行われず、従って、媒体Ｂの姿勢の変化があった場合であっても、姿勢の変化の検出に基づく媒体Ｂの切断は行わない。
待機状態となった後、媒体処理装置制御部１００（通信部）は、通信Ｉ／Ｆ１０６と協働して、待機通知データ（検出部での変位の検出を待機することを示す情報）を生成し、ホストコンピューター９２に送信する（ステップＳＢ６）。
待機通知データとは、待機状態となったこと、換言すれば、媒体Ｂの変位が検出されるまでの待機を開始したことをホストコンピューター９２に通知するデータのことである。
【００４８】
つまり、本実施形態では、プリンター１は、待機通知データ（検出部での変位の検出を待機することを示す情報）を生成するときに、待機状態へ移行し、処理部での媒体の処理を停止させる。
【００４９】
さて、上述したように、制御装置制御部１０８は、送信停止状態に移行した後、待機通知データを受信したか否かを監視する（ステップＳＡ５）。そして、待機通知データを受信した場合、換言すれば、待機を開始した旨の通知を受けた場合（ステップＳＡ５：ＹＥＳ）、制御装置制御部１０８は、対応する処理を実行する（ステップＳＡ６）。例えば、制御装置制御部１０８は、ホスト表示部１０９を制御して、表示パネル１１０に、プリンター１が待機状態となっている旨表示する。このように、ユーザーに対して、プリンター１が待機状態となっている旨を報知することにより、ユーザーに対して、媒体を動かして切断を実行させることを促すことができる。
ステップＳＡ６の処理を実行後、制御装置制御部１０８は、処理手順をステップＳＡ７へ移行する。
ステップＳＡ７において、制御装置制御部１０８は、プリンター１における待機状態を解除させる指示があったか否かを監視すると共に（ステップＳＡ７）、待機解除通知データを受信したか否かを監視する（ステップＳＡ８）。
以下、ステップＳＡ７について説明する。
プリンター１における待機状態の解除の指示について、ユーザーは、アプリケーションＡＰが提供するユーザーインターフェースを介して、または、接続されたサーバー装置等の外部機器を介して行える構成となっている。ここで、上述したように、待機状態となっている間、プリンター１では、媒体Ｂに対する処理が禁止される。これを踏まえ、ユーザーは、媒体Ｂに対する処理の禁止を解除して、次の単票の発行を行う媒体Ｂに対する処理を開始したい場合に、プリンター１における待機状態の解除を指示する。
ステップＳＡ７において、プリンター１における待機状態を解除させる指示があった場合（ステップＳＡ７：ＹＥＳ）、制御装置制御部１０８は、待機解除指示データ（媒体の変位の検出の待機の解除を指示する解除データ）を生成し、プリンター１に送信する（ステップＳＡ９）。ステップＳＡ９の処理後、制御装置制御部１０８は、処理手順をステップＳＡ８へ移行する。
ステップＳＡ８の処理については後述する。
【００５０】
さて、図８（Ｂ）に示すように、ステップＳＢ６において待機通知データを送信した後、媒体処理装置制御部１００は、待機解除指示データを受信したか否かを監視すると共に（ステップＳＢ７）、媒体姿勢検知手段６５により媒体Ｂの姿勢変化が検出されたか否かを監視する（ステップＳＢ８）。
待機解除指示データを受信した場合（ステップＳＢ７：ＹＥＳ）、媒体処理装置制御部１００は、待機状態を解除する（ステップＳＢ９）。すなわち、媒体処理装置制御部１００は、待機解除指示データ（媒体の変位の検出の待機の解除を指示する解除データ）に基づいて、変位の検出の待機を解除する。
この解除に伴って、媒体Ｂの姿勢変化の検出が停止され、媒体Ｂに姿勢変化があった場合であっても、媒体Ｂの切断が行われなくなる。さらに、この解除に伴って、媒体処理装置制御部１００は、印刷機構６４による印刷、および、タグ読書装置４６によるＲＦＩＤタグ７Ａへのデータの読み書きの禁止を解除する。つまり、媒体処理装置制御部１００は、処理部での媒体Ｂの処理を許可する。
このように、本実施形態では、媒体処理装置制御部１００は、ホストコンピューター９２から待機の解除を指示するデータを受信した場合、待機を停止すると共に、処理部による媒体Ｂの処理の禁止を解除する。このため、プリンター１が、媒体Ｂの変位の検出を待機し、処理部による媒体の処理を禁止している場合に、ホストコンピューター９２によって、プリンター１における処理部による媒体Ｂの処理の禁止を解除できる。
次いで、媒体処理装置制御部１００は、待機解除通知データを生成し、ホストコンピューター９２に送信する（ステップＳＢ１０）。この待機解除通知データは、待機状態が解除され、処理部（印刷機構６４、タグ読書装置４６）による処理の禁止が解除された旨を通知するデータである。
その後、媒体処理装置制御部１００は、処理手順をステップＳＢ１へ戻す。
【００５１】
一方、待機解除指示データを受信することなく、媒体Ｂの姿勢変化が検出された場合（ステップＳＢ８：ＹＥＳ）、媒体処理装置制御部１００は、以下の処理を実行する。なお、媒体姿勢検知手段６５により媒体Ｂの姿勢変化が検出されたということは、ユーザーが、媒体Ｂの切断（単票の発行）を実行すべく、媒体Ｂを意図的に動かしたということである。
媒体Ｂの姿勢変化を検出した場合、媒体処理装置制御部１００は、オートカッター６０を制御して、媒体Ｂを切断させる（ステップＳＢ１１）。ここで、上述したように、待機状態のとき、プラテンローラー６６の回転が規制され、このプラテンローラー６６と、サーマルヘッド６７とによって媒体Ｂが挟持される。従って、ステップＳＤ１０の切断前、特に、ユーザーが媒体Ｂを変位させたときであっても、媒体Ｂが搬送方向に移動せず、媒体Ｂの被切断位置と、オートカッター６０の切断位置とにずれが生じない。また、切断時も、媒体Ｂの被切断位置と、オートカッター６０の切断位置とにずれが生じず、媒体Ｂは切断すべき位置で切断される。
媒体Ｂの切断後、媒体処理装置制御部１００は、待機状態を解除する（ステップＳＢ１２）。
この解除に伴って、媒体Ｂの姿勢変化の検出が停止され、媒体Ｂに姿勢変化があった場合であっても、媒体Ｂの切断が行われなくなる。さらに、この解除に伴って、媒体処理装置制御部１００は、印刷機構６４による印刷、および、タグ読書装置４６によるＲＦＩＤタグ７Ａへのデータの読み書きの禁止を解除する。つまり、媒体処理装置制御部１００は、処理部での媒体Ｂの処理を許可する。次いで、媒体処理装置制御部１００は、待機解除通知データ（媒体の変位の待機が終了したことを示す第２の情報）を生成し、ホストコンピューター９２に送信する（ステップＳＢ１３）。このように、本実施形態では、媒体処理装置制御部１００は、媒体Ｂの変位の検出に基づいてオートカッター６０に媒体Ｂを切断させて、処理部による媒体の処理の禁止を解除した場合、その旨をホストコンピューター９２（制御装置）に通知する。このため、ホストコンピューター９２は、プリンター１が、処理部による媒体の処理の禁止を解除したことを認識でき、当該認識に基づいて、対応する処理を実行可能である。
その後、媒体処理装置制御部１００は、処理手順をステップＳＢ１へ戻す。
【００５２】
このように、本実施形態では、待機状態で、媒体Ｂが所定方向に変位した場合、換言すれば、媒体Ｂがユーザーにより所定方向に変位するように動かされた場合に、媒体Ｂの切断が実行され、単票が発行される。つまり、ユーザーが、意図的に媒体Ｂを動かさない限り、単票の発行が行われない。このため、ユーザーが意図せず、単票が自動で連続して発行され、そのことに起因して排出口２８付近で単票が溜まってしまうことを防止できる。また、単票が自動で連続して発行されてしまい、単票の区別がつかなくなったり、ユーザーが単票を誤ってしまったりすることを防止できる。
【００５３】
さて、図８（Ａ）に示すように、ステップＳＡ８において、制御装置制御部１０８は、待機解除通知データを受信したか否かを監視する。そして、制御装置制御部１０８は、待機解除通知データを受信していない場合（ステップＳＡ８：ＮＯ）、処理手順をステップＳＡ７へ戻し、待機解除通知データを受信している場合（ステップＳＡ８：ＹＥＳ）、処理手順をステップＳＡ１０へ移行する。
ステップＳＡ１０において、制御装置制御部１０８は、送信停止状態を解除し、制御データのプリンター１への送信が可能な状態へ移行する。その後、処理手順は、ステップＳＡ１へ戻り、アプリケーションＡＰの機能により、制御装置制御部１０８は、単票の発行を行うか否かを判別する。
このように、本実施形態では、ホストコンピューター９２は、データの書き込み、および、印刷を指示する制御データを送信した後、処理部による媒体の処理の禁止を解除した旨の通知をプリンター１から受けるまでは（待機解除通知データを受信するまでは）、次の制御データの送信を停止する。この構成によれば、プリンター１における待機状態が解除され、媒体Ｂに対する処理の禁止が解除されるまでは、ホストコンピューター９２により、制御データの送信が行われない。つまり、ホストコンピューター９２から、プリンター１に対して制御データが連続して出力されることが防止される。これに伴って、ホストコンピューター９２の受信バッファーがオーバーフローし、ホストコンピューター９２の要求に応じた単票の発行がされない、といった事態が発生することを防止できる。
【００５４】
以上説明したように、本実施形態では、媒体処理装置制御部１００は、待機状態へ移行し、これに伴って、搬送部による媒体Ｂの搬送を停止させた後、媒体姿勢検知手段６５による媒体Ｂの変位の検出を待機することを示す情報（待機通知データ）を生成する。そして、通信部として機能する媒体処理装置制御部１００は、待機通知データをホストコンピューター９２に送信する。
本発明の構成によれば、媒体Ｂが所定方向に変位するように動かされた場合に、媒体の切断が実行され、単票が発行される。このため、単票が自動で連続して発行され、そのことに起因して紙出口（排出口２８）付近で単票が溜まることを防止できる。
また、上記構成によれば、ホストコンピューター９２は、プリンター１から受信した待機通知データに基づいて、プリンター１が媒体Ｂの変位の検出の待機を開始したことを認識でき、当該認識に基づいて、対応する処理を実行可能である。
【００５５】
また、本実施形態では、媒体処理装置制御部１００は、待機通知データを生成するときに、処理部での媒体Ｂの処理を停止させる（禁止する）。
本発明の構成によれば、媒体姿勢検知手段６５での媒体Ｂの変位の検出の待機時に、処理部により媒体Ｂが処理されることが停止される。
【００５６】
また、本実施形態では、媒体処理装置制御部１００は、媒体の変位の検出に基づいてオートカッター６０で媒体Ｂを切断した後、媒体Ｂの変位の検出の待機が終了したことを示す待機解除通知データ（第２の情報）を生成し、通信部として機能する媒体処理装置制御部１００は、当該待機解除通知データを送信する。
本発明の構成によれば、ホストコンピューター９２は、プリンター１において、媒体の変位の検出の待機が終了したことを認識でき、当該認識に基づいて、対応する処理を実行可能である。
【００５７】
また、本実施形態では、ホストコンピューター９２は、待機通知データを受信した後は、制御データの送信を停止する。
この構成によれば、プリンター１が媒体Ｂの変位の検出を待機している状態のときに、ホストコンピューター９２が制御データを送信し、これに起因して、例えば、未処理の制御データが、プリンター１に蓄積することを防止できる。
【００５８】
また、本実施形態では、ホストコンピューター９２は、待機通知データを受信した後、前記変位の検出の待機の解除を指示する待機解除指示データを送信し、プリンター１の媒体処理装置制御部１００は、当該待機解除指示データに基づいて、媒体Ｂの変位の検出の待機を解除する。
本発明の構成によれば、プリンター１が、媒体姿勢検知手段６５による媒体の変位の検出を待機している場合に、ホストコンピューター９２によって、プリンター１が媒体の変位の検出を待機している状態を解除できる。
【００５９】
また、以上説明したように、本実施形態では、媒体処理装置制御部１００（制御部）は、以下の処理を実行する。すなわち、媒体処理装置制御部１００は、ホストコンピューター９２から受信した制御データに基づいて、処理部により媒体Ｂを処理させ、媒体Ｂの搬送を停止させる。その後、媒体処理装置制御部１００は、処理部による媒体Ｂの処理を禁止し、媒体姿勢検知手段６５により媒体Ｂの変位が検出されるまで待機すると共に、待機を開始したことをホストコンピューター９２に通知する。媒体処理装置制御部１００は、待機中に媒体姿勢検知手段６５によって媒体Ｂの変位が検出された場合、オートカッター６０により媒体Ｂを切断させ、処理部による媒体Ｂの処理の禁止を解除する。
この構成によれば、媒体Ｂが所定方向に変位するように動かされた場合に、媒体Ｂの切断が実行され、単票が発行される。このため、単票が自動で連続して発行され、そのことに起因して紙出口（排出口２８）付近で単票が溜まることを防止できる。さらに、上記構成によれば、プリンター１は、媒体Ｂの変位が検出されるまで待機する際に、待機を開始したことをホストコンピューター９２に通知する。このため、ホストコンピューター９２は、プリンター１が待機を開始したことを認識でき、当該認識に基づいて、対応する処理、例えば、ユーザーに対する報知等の処理を実行できる。
【００６０】
また、本実施形態では、媒体処理装置制御部１００は、媒体姿勢検知手段６５による媒体Ｂの変位の検出に基づいてオートカッター６０に媒体Ｂを切断させて、処理部による前記媒体の処理の禁止を解除した場合、待機解除通知データを送信することにより、その旨をホストコンピューター９２に通知する。
この構成によれば、ホストコンピューター９２は、プリンター１が、処理部による媒体の処理の禁止を解除したことを認識でき、当該認識に基づいて、対応する処理、例えば、送信停止状態の解除等を実行可能である。
【００６１】
また、本実施形態では、媒体処理装置制御部１００は、待機を開始した後、ホストコンピューター９２から待機の解除を指示する待機解除指示データを受信した場合、待機を停止すると共に、処理部による媒体Ｂの処理の禁止を解除する。
この構成によれば、プリンター１が、媒体姿勢検知手段６５による媒体の変位の検出を待機し、処理部による媒体の処理を禁止している場合に、ホストコンピューター９２によって、プリンター１における処理部による媒体の処理の禁止を解除できる。
【００６２】
また、本実施形態では、ホストコンピューター９２は、制御データをプリンター１に送信した後、待機解除通知データを受信するまでは、次の制御データの送信を禁止する。
この構成によれば、ホストコンピューター９２から、プリンター１に対して連続して制御データが出力され、これに起因してプリンター１のバッファーがオーバーフローし、ホストコンピューター９２の要求に応じた単票の発行がされない、と言った事態が発生することを防止できる。
【００６３】
なお、上述した実施の形態は、あくまでも本発明の一態様を示すものであり、本発明の範囲内で任意に変形および応用が可能である。
例えば、媒体姿勢検知手段６５によって媒体Ｂの所定方向の変位を検出していた。しかしながら、媒体Ｂの所定方向への変位を検出する手段は、変位を検出できる構成であれば、どのようなものであってもよい。例えば、反射型光センサーを紙ステージ７２に配置し、媒体Ｂが所定方向に変位したときに、当該センサーの出力値が変わる構成としてもよい。
また例えば、プリンター１は、サーマル方式のプリンターであったが、プリンターの形式はこれに限定されない。
また、図７に示す各機能ブロックはハードウェアとソフトウェアの協働により任意に実現可能であり、特定のハードウェア構成を示唆するものではない。また、プリンター１や、ホストコンピューター９２の各機能を、これら装置に外部接続される別の装置に持たせるようにしてもよい。また、プリンター１や、ホストコンピューター９２は、外部接続される記憶媒体に記憶させたプログラムを実行することにより、各種動作を実行してもよい。
【符号の説明】
【００６４】
１…プリンター（媒体処理装置）、７…ラベル用紙（媒体）、１０…単票発行装置、２８…排出口（紙出口）、４６…タグ読書装置（処理部）、６０…オートカッター（切断部）、６３…搬送機構（搬送部）、６４…印刷機構（処理部）、６５…媒体姿勢検知手段（検出部）、９１…媒体処理システム、９２…ホストコンピューター（制御装置）、１００…媒体処理装置制御部（制御部）、１０８…制御装置制御部。
【図１】
2015030099.tif 000003
【図２】
2015030099.tif 000004
【図３】
2015030099.tif 000005
【図４】
2015030099.tif 000006
【図５】
2015030099.tif 000007
【図６】
2015030099.tif 000008
【図７】
2015030099.tif 000009
【図８】
2015030099.tif 000010